(57)【特許請求の範囲】
【請求項１】
通信ネットワークを介して情報を送受信するセンタ装置と、複数のユーザ端末とを備える物品受け渡しシステムが実行する処理の方法であって、
応募者のユーザ端末が前記通信ネットワークを介してセンタ装置にアクセスするステップと、
前記アクセスを受けたセンタ装置が、メールアドレスと所定の受領証に記載された番号を前記応募者に入力させるＷｅｂページを前記通信ネットワークを介して前記応募者のユーザ端末に送信するステップと、
前記Ｗｅｂページを受信した前記ユーザ端末が、前記応募者により前記Ｗｅｂページを介して前記ユーザ端末に入力された前記メールアドレスと前記番号を前記通信ネットワークを介してセンタ装置に送信するステップと、
前記番号を受信したセンタ装置が、前記メールアドレスと前記番号を記憶手段に蓄積し、当該記憶手段に蓄積された複数の番号の中から抽選を行うステップと、
センタ装置が、前記記憶手段に蓄積されたメールアドレスに基づいて、前記応募者が落選した場合には、落選通知メールを電子メールにより前記ユーザ端末に送信し、前記応募者が当選した場合には、前記番号と物品の受け渡し店を記載した、前記受領証と共に提示する当選通知メールを電子メールにより前記ユーザ端末に送信するステップと
を有することを特徴とする方法。
【請求項２】
前記受領証は、唯一性がある番号を記載した紙片であることを特徴とする請求項１に記載の方法。
【請求項３】
前記受領証は、前記応募者が所定の店で買い物をした際に受け取ったレシートであることを特徴とする請求項１に記載の方法。
【請求項４】
通信ネットワークを介して情報を送受信するセンタ装置と、複数のユーザ端末とを備える物品受け渡しシステムであって、
前記センタ装置が、
センタ装置にアクセスをした応募者のユーザ端末に、メールアドレスと所定の受領証に記載された番号を前記応募者に入力させるＷｅｂページを前記通信ネットワークを介して送信する送信手段と、
前記ユーザ端末から受信した前記メールアドレスと前記番号を記憶手段に蓄積し、当該記憶手段に蓄積された複数の番号の中から抽選を行う抽選手段と、
前記記憶手段に蓄積されたメールアドレスに基づいて、前記応募者が落選した場合には、落選通知メールを電子メールにより前記ユーザ端末に送信し、前記応募者が当選した場合には、前記番号と物品の受け渡し店を記載した、前記受領証と共に提示する当選通知メールを電子メールにより前記ユーザ端末に送信する電子メール送信手段と
を有することを特徴とする物品受け渡しシステム。
【請求項５】
前記受領証は、唯一性がある番号を記載した紙片であることを特徴とする請求項４に記載の物品受け渡しシステム。
【請求項６】
前記受領証は、前記応募者が所定の店で買い物をした際に受け取ったレシートであることを特徴とする請求項４に記載の物品受け渡しシステム。
【請求項７】
通信ネットワークを介して情報を送受信するセンタ装置と、複数のユーザ端末とを備える物品受け渡しシステムにおけるセンタ装置であって、
センタ装置にアクセスをした応募者のユーザ端末に、メールアドレスと所定の受領証に記載された番号を前記応募者に入力させるＷｅｂページを前記通信ネットワークを介して送信する送信手段と、
前記ユーザ端末から受信した前記メールアドレスと前記番号を記憶手段に蓄積し、当該記憶手段に蓄積された複数の番号の中から抽選を行う抽選手段と、
前記記憶手段に蓄積されたメールアドレスに基づいて、前記応募者が落選した場合には、落選通知メールを電子メールにより前記ユーザ端末に送信し、前記応募者が当選した場合には、前記番号と物品の受け渡し店を記載した、前記受領証と共に提示する当選通知メールを電子メールにより前記ユーザ端末に送信する電子メール送信手段と
を有することを特徴とするセンタ装置。
【請求項８】
前記受領証は、唯一性がある番号を記載した紙片であることを特徴とする請求項７に記載のセンタ装置。
【請求項９】
前記受領証は、前記応募者が所定の店で買い物をした際に受け取ったレシートであることを特徴とする請求項７に記載のセンタ装置。
【請求項１０】
通信ネットワークを介して情報を送受信するコンピュータと、複数のユーザ端末とを備える物品受け渡しシステムにおける前記コンピュータを、
前記コンピュータにアクセスをした応募者のユーザ端末に、メールアドレスと所定の受領証に記載された番号を前記応募者に入力させるＷｅｂページを前記通信ネットワークを介して送信する送信手段、
前記ユーザ端末から受信した前記メールアドレスと前記番号を記憶手段に蓄積し、当該記憶手段に蓄積された複数の番号の中から抽選を行う抽選手段、
前記記憶手段に蓄積されたメールアドレスに基づいて、前記応募者が落選した場合には、落選通知メールを電子メールにより前記ユーザ端末に送信し、前記応募者が当選した場合には、前記番号と物品の受け渡し店を記載した、前記受領証と共に提示する当選通知メールを電子メールにより前記ユーザ端末に送信する電子メール送信手段、
として機能させるプログラムを記録したコンピュータ読み取り可能な記録媒体。
【請求項１１】
前記受領証は、唯一性がある番号を記載した紙片であることを特徴とする請求項１０に記載の記録媒体。
【請求項１２】
前記受領証は、前記応募者が所定の店で買い物をした際に受け取ったレシートであることを特徴とする請求項１０に記載の記録媒体。
【発明の詳細な説明】
【０００１】
【発明の属する技術分野】
本発明は、インターネット等のネットワークを利用した物品受け渡しシステムに関する。
【０００２】
【従来の技術】
ある商品を提示して応募者を募り、抽選を行い、当選者にその商品を送るといったイベントをイベント企画会社が企画した場合、従来では例えば図１に示した手順を実行する。
【０００３】
すなわち、まず応募者ははがき等に記入事項を記入し、その用紙を投函する。次に、イベント企画会社は送られたてきた応募用紙の抽選を行い、当選者に商品を送るための準備と商品の発送手続きを行う。そして、クライアント（商品の提供主）は商品の準備と発送を行う。
【０００４】
また、はがき等の応募用紙を用いずに、インターネット対応の携帯端末等を用いて応募させ、自動的に抽選し、抽選結果をその携帯端末等に返送することも行われている。
【０００５】
【発明が解決しようとする課題】
しかしながら、上記従来の技術によると、当選者へ当選した商品を届けるためのコストがかかるという問題点がある。すなわち、当選者に物品を届ける場合、物品その物を梱包し、運送手段に委ねる方法、或は引換券、金券（図書券、文具券等）を郵送し、店頭にて物品と交換してもらう方法等があるが、いずれも梱包、運送／郵送、受領確認管理が必要で、経費が発生する。
【０００６】
例えば、１００円のパンを１００ｋｍ離れた相手に届けたい、或は１５０円のジュースを１万人にプレゼントしたいといった場合、届けたい物品の価値より、運送費のほうが高くなってしまう。更に、運送に時間が掛かり、パンのような物品では、運送に時間がかかることによって、物品の価値（鮮度）が変化してしまう場合もある。
【０００７】
また、インターネット等を経由して応募、当選通知を行う方法によると、その当選通知画面をコピーすることによって、当選者が複数回賞品を受け取る、あるいは当選者以外の者が賞品を受け取ることができるという問題点がある。これは、個人認証のシステムを構築することによって解消できる可能性があるが、システム構築には多大なコストがかかるという問題点がある。
【０００８】
本発明は上記の点に鑑みてなされたものであり、端末上に表示された当選通知の不正使用を低コストで防止し、物品を対象者に運送することなく低コストで受け渡すことを可能とする物品受け渡しシステムを提供することを目的とする。
【０００９】
【課題を解決するための手段】
上記の目的を達成するために本発明は次のような構成とすることができる。
【００１０】
請求項１に記載の発明は、通信ネットワークを介して情報を送受信するセンタ装置と、複数のユーザ端末とを備える物品受け渡しシステムが実行する処理の方法であって、応募者のユーザ端末が前記通信ネットワークを介してセンタ装置にアクセスするステップと、前記アクセスを受けたセンタ装置が、メールアドレスと所定の受領証に記載された番号を前記応募者に入力させるＷｅｂページを前記通信ネットワークを介して前記応募者のユーザ端末に送信するステップと、前記Ｗｅｂページを受信した前記ユーザ端末が、前記応募者により前記Ｗｅｂページを介して前記ユーザ端末に入力された前記メールアドレスと前記番号を前記通信ネットワークを介してセンタ装置に送信するステップと、前記番号を受信したセンタ装置が、前記メールアドレスと前記番号を記憶手段に蓄積し、当該記憶手段に蓄積された複数の番号の中から抽選を行うステップと、センタ装置が、前記記憶手段に蓄積されたメールアドレスに基づいて、前記応募者が落選した場合には、落選通知メールを電子メールにより前記ユーザ端末に送信し、前記応募者が当選した場合には、前記番号と物品の受け渡し店を記載した、前記受領証と共に提示する当選通知メールを電子メールにより前記ユーザ端末に送信するステップとを有することを特徴とする方法である。
請求項２に記載の発明は、前記受領証は、唯一性がある番号を記載した紙片であることを特徴とする請求項１に記載の方法である。
請求項３に記載の発明は、前記受領証は、前記応募者が所定の店で買い物をした際に受け取ったレシートであることを特徴とする請求項１に記載の方法である。
【００１１】
上記受領証とは、商品引き換え時に当選者本人に１回だけ商品を渡すようにするためのものであり、応募者が容易に入手可能で、連番等で構成されていて、唯一性があって物品の重複引き換えが防止出来るものであればよく、例えば、商品購入時に受け取るレシートを使用することができる。本発明によれば、このような受領証を当選した旨のメールの内容と共に店の店員等に提示して商品を受け取るので、当選通知メールの不正使用を防止することができる。また、当選者に物品を発送する必要がなくなるので、流通コストを削減でき、食品等も当選品として提供することができる。
【００１２】
また、上記の「店」は、例えばファーストフード業者の各店の意味で使用してもよいし、その中の固有の店の意味で使用してもよい。更に、店舗の性質を有するものであれば実際の店の形態をとるものに限られず、電子店舗、電子モール等を意味するものとして使用してもよい。
【００１６】
例えば、前記受領証として、レシート、紙幣、使用済みの年賀状、又は、はずれた宝くじ券等を使用することができる。すなわち、前記受領証は、固有の番号を持ったコピーしていないもので日常身の回りに有る物であればよい。
【００１７】
請求項４に記載の発明は、通信ネットワークを介して情報を送受信するセンタ装置と、複数のユーザ端末とを備える物品受け渡しシステムであって、前記センタ装置が、センタ装置にアクセスをした応募者のユーザ端末に、メールアドレスと所定の受領証に記載された番号を前記応募者に入力させるＷｅｂページを前記通信ネットワークを介して送信する送信手段と、前記ユーザ端末から受信した前記メールアドレスと前記番号を記憶手段に蓄積し、当該記憶手段に蓄積された複数の番号の中から抽選を行う抽選手段と、前記記憶手段に蓄積されたメールアドレスに基づいて、前記応募者が落選した場合には、落選通知メールを電子メールにより前記ユーザ端末に送信し、前記応募者が当選した場合には、前記番号と物品の受け渡し店を記載した、前記受領証と共に提示する当選通知メールを電子メールにより前記ユーザ端末に送信する電子メール送信手段とを有することを特徴とする物品受け渡しシステムである。
請求項５に記載の発明は、前記受領証は、唯一性がある番号を記載した紙片であることを特徴とする請求項４に記載の物品受け渡しシステムである。
請求項６に記載の発明は、前記受領証は、前記応募者が所定の店で買い物をした際に受け取ったレシートであることを特徴とする請求項４に記載の物品受け渡しシステムである。
【００１９】
上記のシステムにおいて、応募者に会員登録するかどうかを選択させ、会員登録する場合には応募者の個人情報をセンタ装置に登録し、その登録した情報に基づきイベント案内を応募者に送付するようにしてもよい。
【００２０】
個人情報を登録させることによって、種々のイベントに会員を参加させることが可能となる。
【００２１】
上記のシステムにおいて、前記個人情報には応募者の興味のある分野を含むようにすることにより、応募者の興味に応じたイベント案内を送付することが可能となる。
【００２２】
上記のシステムにおいて、前記番号を受信したセンタ装置は、前記応募者からの応募回数と応募時期をチェックし、設定範囲内であれば抽選を行うようにしてもよい。
【００２３】
これにより、所定回数以上の応募を防止でき、また、期間外の応募を抽選から除外することができる。
【００２４】
センタ装置が前記抽選を行わず、もれなく応募者に物品受け渡し店を記載したメールを送信することとしてもよい。
【００２５】
本発明によれば、応募者に店頭で試供品の提供をする場合等に、発送の手間をかけずにその試供品の受け渡しをすることが可能となる。
【００３４】
請求項７に記載の発明は、通信ネットワークを介して情報を送受信するセンタ装置と、複数のユーザ端末とを備える物品受け渡しシステムにおけるセンタ装置であって、センタ装置にアクセスをした応募者のユーザ端末に、メールアドレスと所定の受領証に記載された番号を前記応募者に入力させるＷｅｂページを前記通信ネットワークを介して送信する送信手段と、前記ユーザ端末から受信した前記メールアドレスと前記番号を記憶手段に蓄積し、当該記憶手段に蓄積された複数の番号の中から抽選を行う抽選手段と、前記記憶手段に蓄積されたメールアドレスに基づいて、前記応募者が落選した場合には、落選通知メールを電子メールにより前記ユーザ端末に送信し、前記応募者が当選した場合には、前記番号と物品の受け渡し店を記載した、前記受領証と共に提示する当選通知メールを電子メールにより前記ユーザ端末に送信する電子メール送信手段とを有することを特徴とするセンタ装置である。
請求項８に記載の発明は、前記受領証は、唯一性がある番号を記載した紙片であることを特徴とする請求項７に記載のセンタ装置である。
請求項９に記載の発明は、前記受領証は、前記応募者が所定の店で買い物をした際に受け取ったレシートであることを特徴とする請求項７に記載のセンタ装置である。
【００３９】
請求項１０に記載の発明は、通信ネットワークを介して情報を送受信するコンピュータと、複数のユーザ端末とを備える物品受け渡しシステムにおける前記コンピュータを、前記コンピュータにアクセスをした応募者のユーザ端末に、メールアドレスと所定の受領証に記載された番号を前記応募者に入力させるＷｅｂページを前記通信ネットワークを介して送信する送信手段、前記ユーザ端末から受信した前記メールアドレスと前記番号を記憶手段に蓄積し、当該記憶手段に蓄積された複数の番号の中から抽選を行う抽選手段、前記記憶手段に蓄積されたメールアドレスに基づいて、前記応募者が落選した場合には、落選通知メールを電子メールにより前記ユーザ端末に送信し、前記応募者が当選した場合には、前記番号と物品の受け渡し店を記載した、前記受領証と共に提示する当選通知メールを電子メールにより前記ユーザ端末に送信する電子メール送信手段、として機能させるプログラムを記録したコンピュータ読み取り可能な記録媒体である。
請求項１１に記載の発明は、前記受領証は、唯一性がある番号を記載した紙片であることを特徴とする請求項１０に記載の記録媒体である。
請求項１２に記載の発明は、前記受領証は、前記応募者が所定の店で買い物をした際に受け取ったレシートであることを特徴とする請求項１０に記載の記録媒体である。
【００４２】
【発明の実施の形態】
以下、図面を参照して、本発明の実施の形態に係る物品受け渡しシステムについて詳細に説明する。
【００４３】
図２は、本発明の一実施例における物品受け渡しシステムの構成を示す図である。
【００４４】
同図に示すように、この物品受け渡しシステムは、ネットワーク１０を介して相互に接続されるユーザ端末１１１〜１１ｎと、センタ装置１２を有する。
【００４５】
ネットワーク１０は、ＬＡＮ（Local Area network）、電話回線、移動体通信網等から構成され、ユーザ端末１１１〜１１ｎとセンタ装置１２との間で情報の送受信を可能とするためのものである。
【００４６】
ユーザ端末１１１〜１１ｎは、ＷＥＢページを閲覧可能な移動電話機等の携帯端末装置やパーソナルコンピュータ等から構成され、ネットワーク１０を介してセンタ装置１２との間で通信を行なう。
【００４７】
センタ装置１２は、ＷＥＢサーバ１３とメールサーバ１４を有する。なお、ＷＥＢサーバ１３とメールサーバ１４はそれぞれが少なくとも１台のコンピュータとして構成することができるが、ＷＥＢサーバ機能とメールサーバ機能を１台のコンピュータ上で実現することもできる。センタ装置１２におけるＷＥＢサーバ１３は、ユーザ端末１１１〜１１ｎ  に表示する画面データの作成・送信や、抽選等を行い、メールサーバ１４は、当選もしくは落選した旨を通知するメールを送信する。
【００４８】
図３にＷＥＢサーバ１３の構成の一例を示す。ＷＥＢサーバ１３は、ＣＰＵ（中央処理装置）２１、メモリ２２、入力装置２３、表示装置２４、ＣＤ−ＲＯＭドライブ２５、ハードディスク２６、通信処理装置２７を有する。ＣＰＵ２１は装置の全体を制御する。メモリ２２はＣＰＵ２１で処理するデータやプログラムを保持する。入力装置２３はキーボードやマウス等、データを入力するための装置である。表示装置２４はディスプレイ等の装置である。ＣＤ−ＲＯＭドライブ２５はＣＤ−ＲＯＭ等を駆動し、読み書きを行う。ハードディスク２６には、プログラムや、本発明の処理に関わる文書データが格納される。通信処理装置２７により他のコンピュータ等とネットワークを介して通信を行なうことが可能となる。本発明の処理を実行するプログラムは、コンピュータに予めインストールされていてもよいし、例えばＣＤ−ＲＯＭに格納され、ＣＤ−ＲＯＭドライブ２５を介してハードディスク２６にロードするようにしてもよい。プログラムが起動されると、所定のプログラム部分がメモリ２２に展開され、処理が実行される。
【００４９】
次に、本発明の一実施例における処理概要を図４を用いて説明する。
【００５０】
まず、応募者は、イベント企画会社等と契約しているお店で買い物をしてレシートを受け取る（ステップ１）。次に、ユーザ端末（インターネット対応携帯端末等）で、センタ装置が提供するホームページにアクセスし、例えば、アンケートに回答したり、懸賞クイズなどに回答する。このとき、携帯電話番号、メールアドレス、等を登録すると共に、引き換え番号を入力する（ステップ２）。なお、上記、アンケートや懸賞クイズは行わなくてもよい。
【００５１】
この引き換え番号として、上記のお店が発行したレシート（受領証）に印刷されている店の電話番号／発券日時等を入力する。また、応募者が所持している紙幣の紙幣番号や使用済みの年賀状のお年玉くじ番号、はずれた宝くじ券の抽選番号等を使用することもできる。これは、商品引き換え時に当選者本人に１回だけ商品を渡すようにするためのものであり、応募者が容易に入手可能で、連番等で構成されていて、唯一性があって物品の重複引き換えが防止出来るものであればよい。このような性質を持つものを本明細書では受領証と称する。
【００５２】
センタ装置は、同一レシート等で応募していないか、設定された回数以上応募していないかどうか等を管理する。また、入力情報をデータベースに蓄積しており、これを基に抽選を行う。この結果、当選者が確定すると、センタ装置は当選の案内を電子メールでユーザ端末に送信する（ステップ３）。なお、応募の結果は、即時に通知すること又は一定期間後に通知することを選択可能である。
【００５３】
当選者は、当選を通知するメールを受け取ると、その（登録してあるメールアドレスを持つ）ユーザ端末と、登録済み番号の記載された受領証をお店に持参する（ステップ４）。
【００５４】
そして、店頭でそのメールを開き、店員に提示し、受領証と物品とを引き換える。なお、受領証に紙幣を採用した場合は、その紙幣をその店舗で使用することとしてもよい。
【００５５】
図５に示すように当選者にはがきを送るようにしてもよい。すなわち、応募者がユーザ端末からレシート番号等を入力することによってイベントへの応募を行い（ステップ１１）、センタ装置が抽選を行い、その結果をユーザ端末に通知する（ステップ１２）。また、イベント企画会社等は当選通知はがきの作成、発送を行う（ステップ１３）。応募者がそのはがきを受け取ると、そのはがきと受領証を持ってお店に行き、商品と交換する（ステップ１４）。
【００５６】
次に、処理の詳細をフローチャートを用いて説明する。なお、下記に示すフローチャートにおいては、受領証としてレシートを例にとる。
【００５７】
まず、図６のフローチャートに示す処理について説明する。応募者が買い物をしてレシートを受け取り（ステップ２１）、ホームページにアクセスし（ステップ２２）、レシート番号を入力することにより応募すると（ステップ２３）、センタ装置側では、まず、応募してきた日時が応募期間内であるかどうかをチェックし（ステップ２４）、応募期間外であればその旨を示すメールをユーザ端末に送信する（ステップ２５）。応募期間内であるか応募期間が無期限である場合には、抽選方法をチェックし（ステップ２６）、漏れなく商品を贈るように設定されている場合には、当選メールを送信する（ステップ２７）。抽選により当選者を決定するよう設定されている場合には、センタ装置による抽選が行われ、当選した場合には当選メールがその当選者に送られ（ステップ２８、２９）、落選した場合には、落選者に落選メールが送られる（ステップ３０）。
【００５８】
続いて、応募者のユーザ端末画面に個人情報登録確認画面が表示され、応募者は、今後、イベント等の案内をメールにて送るための情報を入力する（ステップ３１）。登録してよいことの許諾が利用者から得られれば（ステップ３２）、センタ装置はその個人情報を登録する（ステップ３３）。そして、応募者はキャンペーンを行っているお店にレシートを持参し、当選メールを提示して商品と交換する（ステップ３４）。個人情報登録の際、興味・関心を持っている分野を入力させ、今後、その分野に関連したイベントの案内を送付することもできる。
【００５９】
図７にセンタ装置における設定画面を示す。ステップ２４、２６に示したような各種条件はこの設定画面上で予め設定しておく。
【００６０】
本発明の処理は、図８、図９に示すフローチャートの手順で行うことも可能である。
【００６１】
まず、図８について説明する。応募者は、契約しているお店で買い物をし、レシートを受け取り（ステップ４１）、ホームページにアクセスする（ステップ４２）。センタ装置は、アクセスした者が会員であるかどうかをチェックし（ステップ４３）、会員でなければ応募者に会員登録をするかどうかを確認し（ステップ４４）、しない場合には処理を終了する。会員登録をする場合には、応募者はユーザ端末から個人情報を入力して会員登録をする（ステップ４５）。
【００６２】
続いて、応募者はユーザ端末からレシート番号を入力することにより応募する（ステップ４６）。次に、必要に応じて住所等を入力し、送信する。センタ装置は、当該応募者の応募回数が設定範囲内であるかどうかをチェックし（ステップ４８）、設定範囲外であれば範囲外であることを示すメッセージをユーザ端末に送信して処理を終了する（ステップ４９）。応募回数が設定範囲内であれば、センタ装置は抽選を行い（ステップ５０）、当該応募者が落選であれば落選メールを配信し（ステップ５１、５２）、当選であれば当選メールを配信する（ステップ５１、５３）。続いて、当選した応募者は契約しているお店にレシートを持参し、当選メールを提示して商品と交換する（ステップ５４）。
【００６３】
図９に示す処理は、図５に示す処理に対応するものであり、当選者に当選通知はがきを送り、当選者はそのはがき持参して商品と交換する点が図８に示した処理と異なる。
【００６４】
図１０に、センタ装置が提供するホームページの画面表示例を示す。
【００６５】
（ａ）に示す最初の画面で「初めての方」を選択すると、（ｂ）の画面が表示され、承諾事項を了承すれば（ｃ）に示す基本情報登録画面が表示される。ここで、氏名、住所等を入力する。
【００６６】
（ａ）の画面で「会員の方」を選択すると、（ｄ）に示すようにメニューが表示される。（ｄ）で例えば「ミスターバーガー」を選択すると、（ｅ）に示すように「ミスターバーガー」用の応募画面が表示され、ここで、（ｆ）に示すようなレシートの特定部分の番号を入力することによって、センタ装置で抽選が行われる。当選すれば（ｇ）に示す画面が表示され、落選であれば（ｈ）に示す画面が表示される。図に示すように、当たりの場合、賞品、景品の内容と、受け取り手順が提示されている。この時、賞品、景品の受け取り内容、店舗指定等を行う事で、規模や地域限定などに対応することが可能である。すなわち、賞品の受け取りは、Ａ店でと限定すれば、店舗限定となる。画面表示の他の例を図１１に示す。
【００６７】
上記の実施例の他、本発明によるシステムは次のようにして活用することもできる。
【００６８】
ジュースを販売している会社が、新製品の販売促進の為に試飲サンプル１０万本を応募者に提供し、試飲してもらい、さらに試飲後アンケートに答えてもらい、このアンケートに答えていただいた人の中から抽選で１５０組３００名にヨーロッパ旅行が当たる、と言った企画を計画したとすると、本システムでは、まず、イベントの案内を送り、１０万人のインターネット応募を待つて、応募を締め切り、応募者を登録管理する。
【００６９】
次に、応募者には、試飲サンプルをコンビニエンスストアで受け取ってもらうようメールで案内をする。一方、提携コンビニエンスストアには該当者に商品を提供するよう準備してもらう。
【００７０】
応募者は、提携コンビニエンスストアの店頭で、試飲サンプル受け取りメールを開き、店員に提示し、試飲サンプルを受け取る。試飲後、応募者は着信しているメールに掲載されたアンケート等に答える形で応募する。
【００７１】
この様に、試飲用の１０万本は本システムを使用しない場合と同じ費用がかかるが、本システムによればその配送費用が発生しないばかりか該当コンビニエンスストアでは、１０万本のジュースが確実に売れることとなる。
【００７２】
また、試飲後のアンケートも、送られたメールに対する返送メールとして送ることが出来るので、応募者は容易に応募できる。
【００７３】
このようなしくみにすることによって、早く、正確、低コスト、高効率（省資源）に商品を対象者に届けることができるようになる。
【００７４】
本システムは、全国規模でも、限られた地域（例えば、商店街等）でもすぐにも実現することが可能である。
【００７５】
また、会員登録することによって、イベント案内を送ったり、割引サービス（電子クーポン券）等を提供することも可能である。図６のフローチャートに示したように、単に応募のみとし、イベント案内等が送られないようにすることも選択できる。
【００７６】
本発明は、上記の実施例に限定されることなく、特許請求の範囲内で種々変更・応用が可能である。例えば、本実施例ではユーザ端末として携帯電話を示したが、携帯端末、パソコン等でも同様に本発明の実施をすることが可能である。また、当選通知のプリントアウトと受領証を店頭に持って行くようにしてもよい。
【００７７】
【発明の効果】
上述のように、本発明によれば、受領証を用いて当選者の本人確認ができるので、当選画面をコピーして当選者以外の者も当選品を受け取るといった不正を低コストで防止することができる。
【００７８】
また、店頭等で試供品、サンプル品、賞品、景品等を受け渡すこととしているので、好きな時に、出来たての商品を受け取る事ができる。従って、受け渡す賞品の品質や、鮮度等が保証される。また、冷えたビール、ソフトクリーム等、冷凍等の条件下でも商品を受け渡すことが可能となる。
【００７９】
また、商品受け渡しの場所となるファーストフード店や、コンビニエンスストアは、顧客の来店を促進すると共に、売上げ拡大ができる。即ち、ハンバーガーが当たった人は、その商品を受け取りに店に来るので、ジュース等もついでに購入するだろう、一人で来るとは限らないだろう、と言ったことが期待できる。また、新規顧客の開拓や、販売促進になりうると判断すれば、それぞれの企業が提携し、協力しあう事ができる。
【００８０】
更に、例えば、インターネット上でのあるサービスの会員のための付加サービスとして本システムでの景品サービスを実施すれば、景品の配送コスト等をかけずに低コストで会員の囲い込みを計ることができる。
【図面の簡単な説明】
【図１】従来の技術による応募から商品発送までの手順を説明するための図である。
【図２】本発明の一実施例における物品受け渡しシステムの構成を示す図である。
【図３】ＷＥＢサーバの構成を示す図である。
【図４】本発明の一実施例における処理概要を説明するための図である。
【図５】当選者にはがきを送る場合の処理概要を説明するための図である。
【図６】本発明の一実施例における処理のフローチャートである（１）。
【図７】センタ装置における設定画面を示す図である。
【図８】本発明の一実施例における処理のフローチャートである（２）。
【図９】本発明の一実施例における処理のフローチャートである（３）。
【図１０】センタ装置が提供するホームページの画面表示例を示す図である。
【図１１】画面表示の他の例を示す図である。
【符号の説明】
１０  ネットワーク
１１１〜１１ｎ  ユーザ端末
１２  センタ装置
１３  ＷＥＢサーバ
１４  メールサーバ
２１  ＣＰＵ（中央処理装置）
２２  メモリ
２３  入力装置
２４  表示装置
２５  ＣＤ−ＲＯＭドライブ
２６  ハードディスク
２７  通信処理装置
【図１】
0003989673.tif 000002
【図２】
0003989673.tif 000003
【図３】
0003989673.tif 000004
【図４】
0003989673.tif 000005
【図５】
0003989673.tif 000006
【図６】
0003989673.tif 000007
【図７】
0003989673.tif 000008
【図８】
0003989673.tif 000009
【図９】
0003989673.tif 000010
【図１０】
0003989673.tif 000011
【図１１】
0003989673.tif 000012